(57)【要約】【課題】デジタルカメラのＬＣＤディルプレイ等の画像表示装置に全画面表示させる画像を、素早く切替えられるようにし、かつきれいな画質で表示できるようにする。【解決手段】画像を記録する際に、主画像やサムネイル４４の他に、画像表示装置４１の画素数に合わせた表示用画像４５を別途生成し記録する機能を備え、画像表示装置４１の画面いっぱいに画像を表示する際には、この表示用画像４５をそのまま表示することにより、きれいな画像を素早く切替えて表示することができるようになる。【選択図】図４
2005236496.tif 000002
【特許請求の範囲】
【請求項１】
記録した画像を表示する画像表示手段を備えた画像記録表示システムであって、
画像を記録する際に、同一の画像に対して主画像、サムネイル及び表示用画像を記録し、前記表示用画像の画素数は、前記画像表示手段の画素数に基づき決定され、予め設定される主画像の画素数より少なく、サムネイルの画素数より多く、
前記表示用画像は、前記画像表示手段に１枚の画像を画面いっぱいに表示する際に用いられることを特徴とする画像記録表示システム。
【請求項２】
前記表示用画像の画素数が、前記画像表示手段と同一の画素数である請求項１記載の画像記録表示システム。
【請求項３】
前記画像表示手段に画像を表示する際に、前記表示用画像が存在する場合には表示用画像を表示し、表示用画像が存在しない場合には、サムネイルもしくは主画像を表示することを特徴とする請求項１または２記載の画像記録表示システム。
【請求項４】
表示用画像生成手段を有し、主画像またはサムネイルから前記表示用画像を生成することを特徴とする請求項１または２記載の画像記録表示システム。
【請求項５】
前記表示用画像生成手段により生成された表示用画像を、主画像またはサムネイルと関連付けを行い記録することを特徴とする請求項４記載の画像記録表示システム。
【請求項６】
記録した画像を表示する画像表示手段を備えた画像記録表示システムであって、
画像を記録する際に、同一の画像に対して主画像及びサムネイルを記録し、前記サムネイルの画素数は、前記表示手段の画素数と同一であり、
前記サムネイルは、前記画像表示手段に１枚の画像を画面いっぱいに表示する際に用いられることを特徴とする画像記録表示システム。
【発明の詳細な説明】
【技術分野】
【０００１】
本発明は、液晶ディスプレイ等の画像表示手段を有し、記録または撮影した画像を画像表示手段に表示することが可能な画像記録表示システムに関する。
【背景技術】
【０００２】
近年、デジタルカメラは多くのメーカーから多数商品化されており、一般家庭に普及しつつある。デジタルカメラの多くは液晶モニターなどの表示装置を持ち、撮影した画像をその場で確認できることを特徴のひとつとしている。
【０００３】
デジタルカメラでは光電変換により得られた画像データを圧縮処理して半導体メモリ等の記録媒体に記録されている。圧縮処理は、通常ＪＰＥＧ規格による圧縮（以下、ＪＰＥＧ圧縮）が施される。記録されたファイルには、記録（或いは撮影）する前に画素数を設定し、設定に合わせた画素数で記録される主画像と、主画像を縮小したサムネイルと呼ばれる画像の２種類の画像が記録されている。画像を表示装置に表示する際には、圧縮された主画像もしくはサムネイル画像に伸張処理を施した後、表示する。この様な、サムネイル画像の表示に係るものとしては、特許文献１に記載のものがある。
【０００４】
また、デジタルカメラで記録される画像ファイルの取扱いに関しては、非特許文献１に記載されたＤＣＦ規格、非特許文献２に記載されたＥｘｉｆ規格が知られており、ファイルの構造に関して主画像とサムネイル画像に係る記載がある。
【特許文献１】特開２００２−３７４４８２号公報
【非特許文献１】ＪＥＩＤＡ規格  カメラファイルシステム規格（ＤＣＦ）Ｖｅｒｓｉｏｎ１．０  ＪＥＩＤＡ−４９−２−１９９８
【非特許文献２】ＪＥＩＤＡ規格  デジタルカメラ用画像ファイルフォーマット規格（Ｅｘｉｆ）Ｖｅｒｓｉｏｎ２．１  ＪＥＩＤＡ−４９−１９９８
【発明の開示】
【発明が解決しようとする課題】
【０００５】
従来のデジタルカメラなどの画像記録表示システムでは、画像を表示装置の画面いっぱいに１枚表示する際には、通常、主画像が用いられる。一方、より高精細、或いは繊細な画像を記録するためには、記録する際の画素数を増やす必要があり、ＣＣＤ（固体撮像素子）等の進歩もあって主画像の画素数は年々大きくなってきている。それに伴い主画像の伸張処理に要する時間や負荷は増加しており、伸張処理に数秒の時間を要することもある。表示を切替える際には次に表示する画像の伸張処理分の時間を要するため、画像の選択を素早く行うことができないことが問題となる。主画像の代わりにサムネイルを表示することで画像の切り替えを素早く行えるデジタルカメラも存在するが、サムネイルは画質が劣るという欠点がある。また、最初にサムネイルを表示して裏で主画像の伸張処理を行い、主画像の伸張処理が終了するとサムネイルから主画像に表示を切替えるという方法も考案されている（特許文献１を参照）が、主画像を扱うという点で、やはり負荷の軽減は困難である。
【課題を解決するための手段】
【０００６】
本発明は、画像を記録する際に、主画像、サムネイルの他に画像記録表示システムの画像表示手段に表示するための第３の画像（表示用画像）を記録し、１枚の画像を画像表示手段に全画面表示する際には、その表示用画像を用いるようにしたことを最も主要な特徴とする。
【発明の効果】
【０００７】
本発明の画像記録表示システムにおける画像表示では、画像を記録する際に、主画像、サムネイル以外に、画像記録表示システムの画像表示手段で表示できる画素数に合わせた表示用画像を記録し、記録された画像データを表示する際には、この表示用画像を表示する。
【０００８】
これにより、画像記録表示システムの画像表示手段に画像を表示する際に、伸張する画像のサイズを主画像より大幅に小さくすることができるので、伸張処理に要する時間を大幅に短縮することができる。また、画像表示手段で表示される画素数に合わせた画素数で記録を行うので、主画像を表示した場合と同じ画質の画像を表示することが可能になる。
【発明を実施するための最良の形態】
【０００９】
本発明の請求項１に記載の発明は、記録した画像を表示する画像表示手段を備えた画像記録表示システムであって、画像を記録する際に、同一の画像に対して主画像、サムネイル及び表示用画像を記録し、前記表示用画像の画素数は、前記画像表示手段の画素数に基づき決定され、予め設定される主画像の画素数より少なく、サムネイルの画素数より多く、前記表示用画像は、前記画像表示手段に１枚の画像を画面いっぱいに表示する際に用いられることを特徴とする画像記録表示システムとしたものであり、画像表示手段に表示される画像は主画像を表示した場合と同様の画質を保ち、かつ画像を素早く切替えて表示することができる、という作用を有する。
【００１０】
また、請求項２に記載の発明は、請求項１に係る発明において、前記表示用画像の画素数が、前記画像表示手段と同一の画素数であることを特徴としたものであり、表示用画像の画素数を画像表示手段の画素数と一致させることで、画質を落とさない状態で、最も表示速度を早くできる、という作用を有する。
【００１１】
また、請求項３に記載の発明は、請求項１または２に係る発明において、前記画像表示手段に画像を表示する際に、前記表示用画像が存在する場合には表示用画像を表示し、表示用画像が存在しない場合には、サムネイルもしくは主画像を表示することを特徴とするものであり、他のデジタルカメラ等の機器で撮影した画像を、本発明の画像記録表示システムで表示することができる、という作用を有する。
【００１２】
また、請求項４に記載の発明は、請求項１または２に係る発明において、表示用画像生成手段を有し、主画像またはサムネイルから前記表示用画像を生成することを特徴とするとしたものであり、他のデジタルカメラ等の機器で撮影され表示用画像がない画像データの場合には、表示用画像を後から付加することができる、という作用を有する。
【００１３】
また、請求項５に記載の発明は、請求項４に係る発明において、前記表示用画像生成手段により生成された表示用画像を、主画像またはサムネイルと関連付けを行い記録することを特徴とするものであり、他のデジタルカメラ等の機器で撮影され表示用画像がない画像データの場合には、表示用画像を自動的に付加することができる、という作用を有する。
【００１４】
また、請求項６に記載の発明は、記録した画像を表示する画像表示手段を備えた画像記録表示システムであって、画像を記録する際に、同一の画像に対して主画像及びサムネイルを記録し、前記サムネイルの画素数は、前記表示手段の画素数と同一であり、前記サムネイルは、前記画像表示手段に１枚の画像を画面いっぱいに表示する際に用いられることを特徴とする画像記録表示システムとしたものであり、画像表示手段に表示される画像は、主画像を表示したときと同様の画質を保ち、かつ画像を素早く切替えて表示することができる、という作用を有する。
【００１５】
以下、本発明の実施の形態について、図１から図６を用いて説明する。
【００１６】
（実施の形態１）
図１は本発明の実施の形態１による画像記録表示システムの構成を示すブロック図である。なお、本実施の形態による画像記録表示システムとしては、デジタルカメラを想定しているが、これに限定されるものではない。
【００１７】
図１において、０１は装置の各部動作を制御する制御部、０２は液晶ディスプレイ等の画像表示手段としての表示部、０３は操作部、０４はレンズ等の光学系装置、０５は結像を電気信号に変換するためのＣＣＤ（固体撮像素子）、０６は画像データの圧縮伸張等の処理を行う画像データ作成部、０７は半導体メモリカードなどの記録媒体を示している。
【００１８】
以上のように構成された本実施の形態による画像記録表示システムについて、以下その動作について説明する。
【００１９】
操作部０３により画像を記録するための指示入力があると、光学系装置０４を経てＣＣＤ０５で電気信号として取り込まれる。その電気信号を画像データ作成部０６で処理し、表示部０２に表示するとともに、記録媒体０７に記録される。通常のデジタルカメラでは、画像データ作成部０６では、デジタルカメラの設定値に応じた画素数で記録された主画像と、サムネイルと呼ばれる主画像を縮小した画像とが作成される。ひとつのファイルの中にそれらの２つの画像を記録することもできるが、２つのファイルに分けて記録される場合もある。本実施の形態では、主画像とサムネイルの他、主画像とサムネイルの中間の画素数を持つ表示用画像も作成する。この表示用画像は、主画像やサムネイルと同一のファイル中に記録しても構わないし、独立したひとつのファイルにしても構わない。表示用画像を作成し、圧縮する前の画像は、プレビュー画面としてそのまま表示しても構わない。記録されるファイル名のルールについては後ほど説明する。
【００２０】
本実施の形態による表示用画像を記録する形態について、図２、図３を用いて説明する。
【００２１】
まず、表示用画像を独立したファイルにする場合について、図２を用いて説明する。デジタルカメラの画像記録のルールを規定した規格の一つに、ＤＣＦ規格（非特許文献１を参照）がある。ＤＣＦ規格では、記憶媒体０７のルート２１に“ＤＣＩＭ”という名前のフォルダ２２を作成し、その下に“ＸＸＸＸＸＹＹＹ”という名前のフォルダを作る。ここで、Ｘは任意のアルファベット１文字、ＹＹＹは、１００から９９９までの３桁の数字である。図２では、１００＿ＰＡＮＡ（２３）、１０１＿ＰＡＮＡ（２４）というフォルダを作成したものとして説明している。更にその下に、ＡＡＡＡＢＢＢＢ．ＣＣＣというファイル名で記録される。ここで、Ａは、数字もしくはアルファベット１文字、ＢＢＢＢは、０００１から９９９９までの４桁のオブジェクト番号と呼ばれる数字、ＣＣＣは、ＪＰＧ等の拡張子である。
【００２２】
図２では、Ｐ１０００００１．ＪＰＧ（２５）、Ｐ１０００００１．ＶＦＭ（２６）、Ｐ１０００００２．ＪＰＧ（２７）という３つのファイルが記録されている。Ｐ１０００００１．ＪＰＧ（２５）、Ｐ１０００００１．ＶＦＭ（２６）など、同一フォルダ中に同一オブジェクト番号をもつファイルが存在している場合には、それらは関連付けされて管理される。例えばあるファイル（図２のＰ１０００００１．ＪＰＧ（２５））を削除する場合には、そのフォルダ内の同一オブジェクト番号のファイルを全て（図２ではＰ１０００００１．ＶＦＭ（２６））削除する必要がある。本実施の形態では、この規格に則り、主画像が記録されたファイルと同一のオブジェクト番号のファイルに表示用画像を記録することで、これらを関連付けて管理できるようにする。
【００２３】
このようなフォルダ構成で管理することで、例えば、￥ＤＣＩＭ￥１００＿ＰＡＮＡ￥Ｐ１０００００１．ＪＰＧに主画像とサムネイル画像を、￥ＤＣＩＭ￥１００＿ＰＡＮＡ￥Ｐ１０００００１．ＶＦＭに表示用画像を記録すると言うように、オブジェクト番号が同じで、２つのファイルに分けて記録することができる。デジタルカメラで画像を表示する場合には表示用画像が記録されたＰ１０００００１．ＶＦＭを伸張し表示する。他のデジタルカメラでは、拡張子ＶＦＭのファイルは画像ファイルとして認識されないため表示されず、拡張子ＪＰＧのファイルが表示される。
【００２４】
次に、ひとつのファイルに記録する場合について、図３を用いて説明する。デジタルカメラ用の画像ファイルフォーマット規格の一つにＥｘｉｆ規格（非特許文献２を参照）が在るが、多くのデジタルカメラではこのＥｘｉｆ規格に準拠した形式で画像ファイルを記録する。Ｅｘｉｆ規格では、アプリケーション・マーカーセグメント１（ＡＰＰ１）３１と呼ばれる領域にサムネイル画像３５が記録され、アプリケーション・マーカーセグメント２（ＡＰＰ２）３２と呼ばれる領域には他の規格で規定されフォーマットに対応するための拡張データが記録されている。それ以降の領域に主画像３４を記録する。ＡＰＰ１に記録できるデータサイズは６４ｋＢ以内となっており、サムネイルの画素数は規定されていない。しかし、ほとんどのデジタルカメラでは、１６０×１２０ピクセルの画像を記録する。Ｅｘｉｆ規格を拡張した形で、例えばアプリケーション・マーカーセグメント３（ＡＰＰ３）３３という拡張領域を設け、ＡＰＰ３に表示用画像を記録することで、主画像やサムネイルを含むファイルに表示用画像を記録できるようにすることができる。ＡＰＰ３に複数の画素数の画像を記録することで、表示用画像を複数枚記録できるようにすることも可能になる。
【００２５】
本実施の形態における表示用画像の画素数について、図４を用いて説明する。図４において、４１は画像表示装置（表示部０２に相当）、４２はシャッター（操作部０３に相当）、４３は操作ボタン（同じく、操作部０３に相当）、４４はサムネイル（画素数のイメージを示す）、４５は表示用画像（画素数のイメージを示す）を示している。図４では、一例として、画像表示装置４１の表示画素数を７．６８万画素（横３２０×縦２４０ピクセル）として説明する。通常のデジタルカメラで撮影すると、サムネイル４４の画素数は１．９２万画素（横１６０×縦１２０ピクセル）である。このサムネイル４４を画像表示装置４１の画面いっぱいに表示させる場合には、サムネイル４４の画像を縦、横ともに２倍に拡大する必要がある。そのため、表示された画像の画質は粗くなってしまうという問題がある。通常は主画像を伸張処理した後、画面で表示できる画素数に合わせて間引いて表示するが、画素数が多い分だけ伸張処理に時間がかかって即座に表示することができない。
【００２６】
そこで、画像表示装置４１の画素数と同一の画素数の画像を表示用画像４５として、予め記録することによりこの問題を解決したのが本発明である。今回の例では、７．６８万画素の画像表示装置４１であったので表示用画像４５の画素数も７．６８万画素としたが、このサイズはカメラの画像表示装置（ＬＣＤ等の表示部）に合わせて異なる値にすればよい。また、表示用画像の画素数は必ずしも画像表示装置と同一にする必要はなく、場合によっては画像表示装置のサイズより大きい、または小さい画素数にしても構わない。また、ユーザー設定により、この表示用画像の画素数を調整できるようにしても構わない。更に、表示用画像を異なる画素数で複数記録しても構わない。要は、主画像やサムネイルを表示する従来の機器より、表示スピードや画質が改善される値とすればよい。
【００２７】
次に、本発明の実施の形態によるデジタルカメラにおいて、画像が記録されるまでの動作の詳細を図５のフローチャートに従い説明する。
【００２８】
シャッターが押されると、まずステップＳ０１で静止画像を取り込み、ステップＳ０２で表示用の画像処理を行う。ステップＳ０３で画像を表示し、ステップＳ０４で主画像の作成を行い、ステップＳ０５でサムネイルの作成を行う。ステップＳ０６で主画像、サムネイルをファイルに記録し、ステップＳ０７で記録が正常に終了できていなかった場合はステップＳ０６のファイル書き込み処理を再度行う。正常に終了していれば、ステップＳ０８で画像表示装置の画素数を取得し、ステップＳ０９で表示用画像を作成する。ステップＳ１０で表示用画像をファイルに記録し、ステップ１１で記録が正常に終了していなかった場合は、ステップＳ１０のファイル書き込み処理を再度行う。正常に終了していればそのまま終了する。以上のような手順で表示用画像を含む画像の記録を行う。
【００２９】
次に、本実施の形態によるデジタルカメラにおいて、画像表示装置に画像が表示されるまでの動作の詳細を図６のフローチャートに従い説明する。
【００３０】
表示対象となる画像が選択されると、まずステップＳ３１で画像表示用の画像が存在するかどうかを調べる。もし表示用画像が存在すれば、ステップＳ３２で表示用画像を記録媒体から読み出して伸張処理した後、ステップＳ３３で画像表示装置に表示し、表示動作を終了する。表示用画像が存在しなければ、ステップＳ３４でサムネイルが存在するかを調べる。サムネイルが存在すればステップＳ３５でサムネイルを伸張処理した後、ステップＳ３６でサムネイルを表示し、更にステップＳ３７で主画像を表示できるかを調べる。主画像の表示が可能であれば、ステップＳ３８で主画像の伸張処理した後、ステップＳ３９で表示し、主画像の表示が不可能であれば、サムネイルを表示したまま表示動作を終了する。
【００３１】
ステップＳ３４でサムネイルが存在しなければ、ステップＳ４０で主画像が表示可能かどうかを調べ、主画像表示が可能であればステップＳ４１で主画像の伸張処理した後、ステップＳ４２で表示し、表示動作を終了する。主画像の表示が不可能であれば、ステップＳ４３でエラー表示等により画像が表示できないことを通知して表示動作を終了する。
【００３２】
以上の手順のように画像表示を行うようにすることで、本発明による表示用画像が存在した場合には、その表示用画像を従来の装置より早く美しく表示し、表示用画像が存在しなかった場合には、通常のデジタルカメラと同様の手順によりサムネイルもしくは主画像を表示できるようになり、表示における他のデジタルカメラとの互換性を保つことができる。
【００３３】
なお、記録媒体０７が着脱可能なメモリカードの様なものである場合、異なる装置で記録された画像データを再生する場合がある。この場合、図６に示した通り、サムネイルもしくは主画像を表示することになる。そこで、ステップＳ３１の判断で表示用画像が存在しない場合、主画像或いはサムネイルから表示用画像を生成させることもできる。そうして生成した表示用画像を記録媒体に主画像と関連付けて記録しておけば、その後の操作では表示用画像により表示を行うことができる。このように、本実施の形態に表示用画像生成手段（或いはアルゴリズム）を追加することができる。
【００３４】
また、表示用画像をサムネイルそのものとしてもよい。この場合は、画像表示装置の画素数が、サムネイルの画素数と同じであることが望ましい。
【産業上の利用可能性】
【００３５】
本発明にかかる画像記録表示システムは、画像表示手段に画像を表示する際に、伸張する画像のサイズを主画像より小さくすることができるので、伸張処理に要する時間を大幅に短縮するとともに、画質の劣化も少ない全画面表示を行うことができるという効果を有し、静止画像、動画像を問わず、画像を記録し表示する装置、機器、システム、端末等として有用である。
【図面の簡単な説明】
【００３６】
【図１】本発明の実施の形態１による画像記録表示システムの構成を示すブロック図
【図２】同画像記録表示システムの記録媒体におけるフォルダ構造を説明するための概念図
【図３】同画像記録表示システムの記録媒体におけるファイル構造を説明するための概念図
【図４】同画像記録表示システムにおける表示用画像サイズについて説明するための概念図
【図５】同画像記録表示システムの記録時の動作を示すフローチャート
【図６】同画像記録表示システムの表示時の動作を示すフローチャート
【符号の説明】
【００３７】
０１    制御部
０２    表示部
０３    操作部
０４    光学系
０５    ＣＣＤ
０６    画像データ作成部
０７    記録媒体
【図１】
2005236496.tif 000003
【図２】
2005236496.tif 000004
【図３】
2005236496.tif 000005
【図４】
2005236496.tif 000006
【図５】
2005236496.tif 000007
【図６】
2005236496.tif 000008